(57)【要約】【課題】接近してきた暴漢などに対して効果的に反撃することができる警護用盾を提供する。【解決手段】盾本体２の一面２ａ側に持ち手部３を設けた警護用盾１において、盾本体２の他面側から突出した突起部品（突起部）を有する反撃装置５を設ける。【選択図】　　　図１
2004069238.tif 000002
【特許請求の範囲】
【請求項１】
盾本体と、この盾本体の一面側に設けた持ち手部とを有する警護用盾であって、
前記盾本体の他面側から突出した突起部を有する反撃装置を設けたことを特徴とする警護用盾。
【請求項２】
前記盾本体が、透明な材料により構成されていることを特徴とする請求項１に記載の警護用盾。
【請求項３】
前記反撃装置が、前記盾本体に着脱可能に取り付けられていることを特徴とする請求項１または２に記載の警護用盾。
【請求項４】
前記持ち手部には、前記盾本体の上下方向から所定角度で傾斜させた傾斜部分が設けられていることを特徴とする請求項１〜３のいずれかに記載の警護用盾。
【発明の詳細な説明】
【０００１】
【発明の属する技術分野】
本発明は、要人警護やイベント会場等の警備などに使用される警護用盾、特に暴漢などに対する反撃を有効的に行うことができる警護用盾に関する。
【０００２】
【従来の技術及び発明が解決しようとする課題】
警察や警備会社などで使用されている警護用盾は、ジュラルミン等の金属材料やポリカーボネイト樹脂等の強化プラスチック樹脂材料により構成されており、例えば３次元曲面に湾曲させた盾本体とこの盾本体の一面側に設けた持ち手とを備えている。
ところが、上記のような従来の警護用盾は、暴漢や暴徒などからの打撃あるいは投石などの飛来物を防ぐことに対しては有効でなものであるが、例えば凶器を保持して接近してきた凶悪な暴漢に対しては盾他面側を押し付けることしかできずに、当該盾を用いて効果的な反撃を行えないことがあった。
【０００３】
上記のような従来の問題点に鑑み、本発明は、接近してきた暴漢などに対して効果的に反撃することができる警護用盾を提供することを目的とする。
【０００４】
【課題を解決するための手段】
本発明は、盾本体と、この盾本体の一面側に設けた持ち手部とを有する警護用盾であって、
前記盾本体の他面側から突出した突起部を有する反撃装置を設けたことを特徴としている（請求項１）。
上記のように構成された警護用盾では、盾本体の他面側から突出した突起部を有する反撃装置を設けたことにより、その反撃装置の突起部を用いて接近してきた暴漢などに打撃等を加えることができる。
【０００５】
また、上記警護用盾（請求項１）において、前記盾本体が、透明な材料により構成されることが好ましい（請求項２）。
この場合、透明な盾本体を通して暴漢などを視認しつつ、上記反撃装置により反撃することができる。
【０００６】
また、上記警護用盾（請求項１または２）において、前記反撃装置が、前記盾本体に着脱可能に取り付けられてもよい（請求項３）。
この場合、上記反撃装置の取付・取外しを容易に行うことができる。
【０００７】
また、上記警護用盾（請求項１〜３のいずれか）において、前記持ち手部には、前記盾本体の上下方向から所定角度で傾斜させた傾斜部分が設けられることが好ましい（請求項４）。
この場合、使用者が上記傾斜部分を握ることにより、使用者はその傾斜部分を握った手の甲の小指側部分を身体の中心側に返すことなく盾本体を掴むことができる。
【０００８】
【発明の実施の形態】
以下、本発明の警護用盾の好ましい実施形態について、図面を参照しながら説明する。
図１は、本発明の一実施形態に係る警護用盾の持ち手部側の構成例を示す平面図である。図２は上記警護用盾の側面図であり、図３は図１のＩＩＩ−ＩＩＩ線断面図である。図１〜３において、本実施形態の警護用盾１は、盾本体２と、この盾本体２の一面（背面）２ａ側に設けた持ち手部３と、盾本体２の他面（正面）２ｂ側に設けた反撃装置５とを備えており、警備担当者等の使用者が持ち手部３を掴んで盾本体２を動かすことができるとともに、上記反撃装置５により暴漢や暴徒などに反撃することができるようになっている。尚、以下の説明では、右利きの使用者に適するように持ち手部３及び反撃装置５を盾本体２に取り付けた構成を例示して説明する。
【０００９】
上記盾本体２は、透明な強化プラスチック樹脂、例えばポリカーボネイト樹脂やアクリル樹脂、あるいはそれらの樹脂を複数積層した積層板材により構成されており、銃弾、刃物、金属棒等による衝撃にも耐え得るように構成されている。また、盾本体２は、図３に示すように、その他面２ｂの左右側方部が一面２ａ側に曲げられた３次元曲面に湾曲させた形状に形成されており、左右側方部からの攻撃に対しても使用者を保護できるようになっている。
【００１０】
上記持ち手部３には、盾本体２のほぼ中央部に取り付けられた主持ち手部材３１と、上記反撃装置５の裏側となるように、盾本体背面側の右上コーナー部近傍に取り付けられた補助持ち手部材３２とが設けられている。この持ち手部３は、使用者が状況等に応じて両手で主持ち手部材３１を掴むことによって盾本体２をバランスよく支持することができるとともに、左手及び右手で主持ち手部材３１及び補助持ち手部材３２をそれぞれ掴むことによって上記反撃装置５による暴漢などに対する反撃動作を効果的に行えるようになっている。
【００１１】
上記主持ち手部材３１は、”逆く”の字状に形成されたものであり、盾本体２の上下方向と平行に直線的に取り付けられた直線部分３１ａと、この直線部分３１ａの下端部に連続的に接続され、上記上下方向から所定角度（図１にαにて図示）で本体背面側の左下側に傾斜させた傾斜部分３１ｂとを備えている。また、直線部分３１ａの上端部及び傾斜部分３１ｂの下端部には、図２に示す支柱部材３１ｃ及び３１ｄの一端部がそれぞれ溶接にて連結されている。これらの支柱部材３１ｃ及び３１ｄの他端部は、ボルト４により盾本体２に取り付けられた平板ブラケット３１ｅ及び３１ｆ（図１）にそれぞれ溶接にて固定されており、使用者の左手及び右手によって上記傾斜部分３１ｂ及び直線部分３１ａがそれぞれ握られるようになっている。
【００１２】
上記補助持ち手部材３２には、盾本体２の上下方向から所定角度（図１にβにて図示）で本体背面側の右下側に傾斜させた傾斜部分３２ａが設けられている。この傾斜部分３２ａの上下端部には、図２に示す支柱部材３２ｂ及び３２ｃの一端部がそれぞれ溶接にて連結されており、それら支柱部材３２ｂ及び３２ｃの他端部は、ボルト４で盾本体２に取り付けられた平板ブラケット３２ｄ及び３２ｅ（図１）に固定されている。そして、この補助持ち手部材３２の傾斜部分３２ａが、上記反撃動作などを行う際に使用者の利き手（右手）によって握られるようになっている。上記平板ブラケット３２ｄには、図３及び図４に示すように、盾本体２に設けられた取付孔２ｃ（図４）に挿通されるボス部３２ｆが設けられており、このボス部３２ｆに上記反撃装置５が着脱可能に取り付けられることで補助持ち手部材３２と反撃装置５とが一体的に連結されている。また、上記平板ブラケット３２ｄ及び３２ｅは、例えば図３に示すように、ブラケット３２ｄは盾本体２との間に緩衝ゴム６を介在させて同本体の一面２ａに強固に取り付けられている。この緩衝ゴム６により、反撃動作に伴う衝撃が反撃装置５から盾本体２に直接的に伝えられるのを抑えるようになっている。尚、主持ち手部材３１の平板ブラケット３１ｅ及び３１ｆも同様に、緩衝ゴムを介在させて一面２ａに強固に取り付けられている（図示せず）。
【００１３】
上記傾斜部分３１ｂ及び３２ａにおける傾斜角度α及びβの具体的な値は、１５〜２５度であり、好ましくは約２０度である。このように盾本体２の上下方向に対して、左方向及び右方向に傾斜させた傾斜部分３１ｂ及び３２ａを設けることにより、警護用盾１は使用者が当該盾１を持つときにその持ち手の手首及び肘にかかる負担を軽減できるようになっている。具体的には、左手で傾斜部分３１ｂを握るときに、使用者はその左手の甲の小指側部分を身体の中心側に返すことなく、左手を前方に突き出したそのままの自然な状態で当該傾斜部分３１ｂを握ることができ、左手首及び左肘での負担を軽減して盾本体２を掴むことができる。
【００１４】
上記反撃装置５は、図４に示すように、盾本体２の他面２ｂ側から突出した突起部としての突起部品５ａと、一端部が突起部品５ａ内に圧入され、他端部が上記ボス部３２ｆに螺着された鉄心５ｂとを備えており、鉄心５ｂをボス部３２ｆから外すことによって盾本体２から取り外せるよう反撃装置５は盾本体２に着脱可能になっている。
上記突起部品５ａは、同図に示すように、例えば先端部分を切断した断面円錐状に形成されたものであり、暴漢などに対して過剰防衛とならない範囲で、その寸法、形状、材質などが適宜選択されている。但し、上記のように突起部品５ａを断面円錐状に形成した場合の方が、暴漢の手で突起部品５ａを掴まれたときでもその手から突起部品５ａを離され易い点で好ましい。また、この突起部品５ａの具体的な材質は、盾本体２に比べて柔らかい合成樹脂（ゴム材を含む）材料や木材である。
【００１５】
以上のように構成された本実施形態の警護用盾１では、盾本体２の他面２ａ側から突出した反撃装置５の突起部品（突起部）５ａを用いて、接近してきた暴漢などに殴打などの打撃を加える反撃動作を行えるので、凶器を保持した暴漢などに対して当該警護用盾１によって効果的に反撃することができる。また、反撃装置５が使用者の利き手に握られた補助持ち手部材３２の前方側に設けられているので、使用者は暴漢の動きに応じて突起部品５ａを最適に動かすことができ、暴漢に効果的なダメージを与えることができる。また、突起部を有する反撃装置５を盾前面側に設けたことから、当該突起部により暴漢などを威嚇することができ、要人警護や会場警備などの警備作業を容易に行うことができる。
【００１６】
また、本実施形態では、盾本体２が透明な材料により構成されているので、使用者は盾本体２を通して暴漢の動きなどを容易に確認することができ、反撃装置５による反撃動作をさらに効果的に行うことができる。
また、本実施形態では、反撃装置５は盾本体２に着脱可能に構成されているので、当該装置５の取付または取外し作業を容易に行うことができ、使用者は警護用盾１の用途に応じて反撃装置５を変更し、暴漢などに対する反撃をより効果的に行うことができる。さらには、反撃装置５を盾本体２から取外して使用することもできる。
【００１７】
尚、上記の説明では、右利きの使用者に適するように持ち手部３及び反撃装置５を盾本体２に取り付けた構成について説明したが、左利きの使用者に適するよう構成した場合は図１の盾本体背面側の左上コーナー部近傍に補助持ち手部材を配置し、さらにその前方に反撃装置を取り付ける。また、使用者の負担軽減を行うために、上記補助持ち手部分の傾斜部分はその下端部を盾本体の上下方向から左方向に所定角度で傾斜させるとともに、主持ち手部材を”く”の字状に形成し、そのくの字の上側直線部分を盾本体の上下方向と平行に、かつ下側直線部分を当該上下方向から右方向に所定角度で傾斜させて盾本体に取り付ければよい。
【００１８】
また、上記の説明では、盾本体２に比べて柔らかい突起部品５ａを有する反撃装置５を補助持ち手部材３２の前方に設けた構成について説明したが、本発明はこれに限定されるものではなく、反撃装置５は盾本体２の他面２ｂ側から突出した突起部を有し、この突起部により暴漢などに反撃できるものであればよい。具体的には、上記突起部品５ａに代えて、電池式の高電圧発生装置（いわゆる、スタンガン）を突起部として設けてもよい。また、盾本体２に固定された突起部品５ａを有する反撃装置５を複数、盾本体前面に設ける構成でもよい。
【００１９】
また、上記の説明では、背面から前方を視認可能とすべく透明な材料からなる盾本体２を用いた構成について説明したが、ジュラルミン等の金属材料からなる比較的小さいサイズの盾本体正面側に反撃装置５を取り付けた構成でもよく、また不透明な盾本体の一部分に覗き窓などを設け、背面から前方を視認可能として反撃装置５による反撃動作を容易に行えるよう構成してもよい。
【００２０】
【発明の効果】
以上のように構成された本発明は以下の効果を奏する。
請求項１の警護用盾によれば、上記反撃装置の突起部を用いて接近してきた暴漢などに打撃等を加えることができるので、接近してきた暴漢などに対して当該警護用盾によって効果的に反撃することができる。
【００２１】
また、請求項２の警護用盾によれば、透明な盾本体を通して暴漢などを視認しつつ、上記反撃装置により反撃することができるので、その反撃装置による反撃をさらに効果的に行うことができる。
【００２２】
また、請求項３の警護用盾によれば、上記反撃装置の取付・取外しを容易に行うことができるので、盾本体に対する反撃装置の交換作業を簡単に行うことができるとともに、当該警護用盾の用途に応じて反撃装置を交換し、暴漢などに対する反撃をより効果的に行うことができる。
【００２３】
また、請求項４の警護用盾によれば、使用者は持ち手部の傾斜部分を握った手の甲の小指側部分を身体の中心側に返すことなく盾本体を掴むことができるので、使用者は盾本体を掴んだ手の手首及び肘にかかる負担を軽減して警護用盾を持つことができる。この結果、使用者は当該盾を楽に動かして暴漢などへの反撃をさらに容易に行うことができる。
【図面の簡単な説明】
【図１】本発明の一実施形態に係る警護用盾の持ち手部側の構成例を示す平面図である。
【図２】上記警護用盾の側面図である。
【図３】図１のＩＩＩ−ＩＩＩ線断面図である。
【図４】図３のＩＶ−ＩＶ線断面図である。
【符号の説明】
１　　　警護用盾
２　　　盾本体
２ａ　　一面
２ｂ　　他面
３　　　持ち手部
３１　　主持ち手部材
３１ａ　直線部分
３１ｂ　傾斜部分
３２　　補助持ち手部材
３２ａ　傾斜部分
５　　　反撃装置
５ａ　　突起部品（突起部）
【図１】
2004069238.tif 000003
【図２】
2004069238.tif 000004
【図３】
2004069238.tif 000005
【図４】
2004069238.tif 000006